(57)【要約】【課題】  蓄電池装置から供給される電力によって負荷が稼働可能な時間長を直感的に把握することを可能とするエネルギー管理装置、エネルギー管理システム、及びエネルギー管理方法を提供する。【解決手段】  ＥＭＳ２００は、負荷１２０に対応するオブジェクトを表示する表示部２４０と、蓄電池装置１４０から供給される電力によって負荷１２０が稼働可能な時間長Ｔを示すように、蓄電池１４１の蓄電量Ｖに応じてオブジェクトの表示態様を制御する制御部２３０とを備える。【選択図】  図３
2014119288.tif 000002
【特許請求の範囲】
【請求項１】
蓄電池を有する蓄電池装置を管理するエネルギー管理装置であって、
負荷に対応するオブジェクトを表示する表示部と、
前記蓄電池装置から供給される電力によって前記負荷が稼働可能な時間長を示すように、前記蓄電池の蓄電量に応じて前記オブジェクトの表示態様を制御する制御部とを備えることを特徴とするエネルギー管理装置。
【請求項２】
前記表示部は、前記負荷に対して前記蓄電池装置からの電力供給を確保すべき時間長を示すように、前記オブジェクトの表示態様の初期状態を設定することを特徴とする請求項１に記載のエネルギー管理装置。
【請求項３】
前記表示部は、前記オブジェクトの優先度が設定される場合に、複数の優先度の各々に対応する領域からなる複数の表示領域のうち、前記設定された優先度に対応する領域に前記オブジェクトを表示することを特徴とする請求項２に記載のエネルギー管理装置。
【請求項４】
前記表示部が複数の負荷に対応する複数のオブジェクトを表示する場合に、前記制御部は、前記複数の優先度の中で高い優先度が設定されたオブジェクトの表示態様を、優先して前記初期状態に維持するように、前記蓄電量に応じて前記複数のオブジェクトの表示態様を変化させることを特徴とする請求項３に記載のエネルギー管理装置。
【請求項５】
前記複数のオブジェクトは、第１の優先度が設定された第１のオブジェクトと、前記第１の優先度より低い第２の優先度が設定された第２のオブジェクトとを含み、
前記表示部が、前記第１の優先度に対応する第１の表示領域に前記第１のオブジェクトを表示し、かつ、前記第２の優先度に対応する第２の表示領域に前記第２のオブジェクトを表示している場合に、前記制御部は、前記蓄電量の減少に応じて、前記第１のオブジェクトの表示態様を維持しつつ、前記第２のオブジェクトの表示態様を、前記稼働可能な時間長の減少を示すように変化させることを特徴とする請求項４に記載のエネルギー管理装置。
【請求項６】
前記制御部は、前記第２のオブジェクトの表示態様を変化させたことにより、前記第２のオブジェクトの表示態様が、前記第２のオブジェクトに対応する前記稼働可能な時間長がゼロとなったことを示した場合に、前記第２の表示領域から前記第２のオブジェクトを除外し、
前記制御部は、前記第２の表示領域から前記第２のオブジェクトを除外した後、前記蓄電量が減少したときに、前記第１のオブジェクトの表示態様を、前記稼働可能な時間長の減少を示すように変化させることを特徴とする請求項５に記載のエネルギー管理装置。
【請求項７】
前記複数のオブジェクトは、第１の優先度が設定された第１のオブジェクトと、前記第１の優先度より低い第２の優先度が設定された第２のオブジェクトとを含み、
前記表示部が、前記第１の優先度に対応する第１の表示領域に前記第１のオブジェクトを表示し、かつ、前記第２の優先度に対応する第２の表示領域に前記第２のオブジェクトを表示している場合に、前記制御部は、前記蓄電量の増加に応じて、前記第２のオブジェクトの表示態様を維持しつつ、前記第１のオブジェクトの表示態様を前記初期状態に近づけるように変化させることを特徴とする請求項４に記載のエネルギー管理装置。
【請求項８】
前記第１のオブジェクトの表示態様を変化させたことにより、前記第１のオブジェクトの表示態様が前記初期状態となった場合に、前記制御部は、前記第１のオブジェクトの表示態様を前記初期状態に維持し、
前記第１の表示領域に表示されるオブジェクトの表示態様が前記初期状態となった後、前記制御部は、前記蓄電量の増加に応じて、前記第２のオブジェクトの表示態様を前記初期状態に近づけるように変化させることを特徴とする請求項７に記載のエネルギー管理装置。
【請求項９】
前記表示部は、さらに、前記確保すべき時間長において前記負荷を使用するために必要な所要電力量と、前記蓄電量とを関連付けて示すインジケータを表示することを特徴とする請求項２に記載のエネルギー管理装置。
【請求項１０】
前記制御部は、前記蓄電量を前記所要電力量に近づけるように、前記蓄電池の充放電予定を決定することを特徴とする請求項９に記載のエネルギー管理装置。
【請求項１１】
前記オブジェクトは、前記負荷の種類を示すアイコンであることを特徴とする請求項１に記載のエネルギー管理装置。
【請求項１２】
蓄電池を有する蓄電池装置と、
負荷と、
前記蓄電池装置を管理するエネルギー管理装置とを備えるエネルギー管理システムであって、
前記エネルギー管理装置は、
前記負荷に対応するオブジェクトを表示する表示部と、
前記蓄電池装置から供給される電力によって前記負荷が稼働可能な時間長を示すように、前記蓄電池の蓄電量に応じて、前記オブジェクトの表示態様を制御する制御部とを備えることを特徴するエネルギー管理システム。
【請求項１３】
蓄電池を有する蓄電池装置を管理するエネルギー管理方法であって、
負荷に対応するオブジェクトを表示するステップＡと、
前記蓄電池装置から供給される電力によって前記負荷が稼働可能な時間長を示すように、前記蓄電池の蓄電量に応じて、前記オブジェクトの表示態様を制御するステップＢとを備えることを特徴するエネルギー管理方法。
【発明の詳細な説明】
【技術分野】
【０００１】
本発明は、蓄電池装置を備える需要家におけるエネルギー管理装置、エネルギー管理システム、及びエネルギー管理方法に関する。
【背景技術】
【０００２】
近年、電力の需要家において、蓄電池を有する蓄電池装置の導入が進んでいる。蓄電池装置は、蓄電池に蓄積された電力を、電力線を介して負荷に供給する（例えば、特許文献１）。
【０００３】
蓄電池装置を備える需要家では、例えば系統の停電時においても、蓄電池に蓄積された電力が残っている限り、蓄電池装置から負荷への電力供給が可能となる。また、系統から供給される電力（系統電力）の買電単価が低い時間帯（例えば、夜間等）に、系統電力を蓄電池に蓄積することにより、電力消費が多く、買電単価が高い時間帯（例えば、昼間等）に、系統電力に代えて蓄電池装置から負荷に電力を供給すること（いわゆる、ピークシフト）も可能となる。
【先行技術文献】
【特許文献】
【０００４】
【特許文献１】特開２００２−１５２９７６号公報
【発明の概要】
【発明が解決しようとする課題】
【０００５】
蓄電池に蓄積された電力の量（蓄電量）は、一般に、数値で示される（例えば、６ｋｗｈ）。一方、蓄電池装置から供給される電力によって負荷が稼働可能な時間長を把握したいというユーザのニーズが存在する。
【０００６】
そこで、本発明は、蓄電池装置から供給される電力によって負荷が稼働可能な時間長を直感的に把握することを可能とするエネルギー管理装置、エネルギー管理システム、及びエネルギー管理方法を提供することを目的とする。
【課題を解決するための手段】
【０００７】
第１の特徴に係るエネルギー管理装置は、蓄電池を有する蓄電池装置を管理する。エネルギー管理装置は、負荷に対応するオブジェクトを表示する表示部と、前記蓄電池装置から供給される電力によって前記負荷が稼働可能な時間長を示すように、前記蓄電池の蓄電量に応じて前記オブジェクトの表示態様を制御する制御部とを備える。
【０００８】
第１の特徴において、前記表示部は、前記負荷に対して前記蓄電池装置からの電力供給を確保すべき時間長を示すように、前記オブジェクトの表示態様の初期状態を設定する。
【０００９】
第１の特徴において、前記表示部は、前記オブジェクトの優先度が設定される場合に、複数の優先度の各々に対応する領域からなる複数の表示領域のうち、前記設定された優先度に対応する領域に前記オブジェクトを表示する。
【００１０】
第１の特徴において、前記表示部が複数の負荷に対応する複数のオブジェクトを表示する場合に、前記制御部は、前記複数の優先度の中で高い優先度が設定されたオブジェクトの表示態様を、優先して前記初期状態に維持するように、前記蓄電量に応じて前記複数のオブジェクトの表示態様を変化させる。
【００１１】
第１の特徴において、前記複数のオブジェクトは、第１の優先度が設定された第１のオブジェクトと、前記第１の優先度より低い第２の優先度が設定された第２のオブジェクトとを含み、前記表示部が、前記第１の優先度に対応する第１の表示領域に前記第１のオブジェクトを表示し、かつ、前記第２の優先度に対応する第２の表示領域に前記第２のオブジェクトを表示している場合に、前記制御部は、前記蓄電量の減少に応じて、前記第１のオブジェクトの表示態様を維持しつつ、前記第２のオブジェクトの表示態様を、前記稼働可能な時間長の減少を示すように変化させる。
【００１２】
第１の特徴において、前記制御部は、前記第２のオブジェクトの表示態様を変化させたことにより、前記第２のオブジェクトの表示態様が、前記第２のオブジェクトに対応する前記稼働可能な時間長がゼロとなったことを示した場合に、前記第２の表示領域から前記第２のオブジェクトを除外し、前記制御部は、前記第２の表示領域から前記第２のオブジェクトを除外した後、前記蓄電量が減少したときに、前記第１のオブジェクトの表示態様を、前記稼働可能な時間長の減少を示すように変化させる。
【００１３】
第１の特徴において、前記複数のオブジェクトは、第１の優先度が設定された第１のオブジェクトと、前記第１の優先度より低い第２の優先度が設定された第２のオブジェクトとを含み、前記表示部が、前記第１の優先度に対応する第１の表示領域に前記第１のオブジェクトを表示し、かつ、前記第２の優先度に対応する第２の表示領域に前記第２のオブジェクトを表示している場合に、前記制御部は、前記蓄電量の増加に応じて、前記第２のオブジェクトの表示態様を維持しつつ、前記第１のオブジェクトの表示態様を前記初期状態に近づけるように変化させる。
【００１４】
第１の特徴において、前記第１のオブジェクトの表示態様を変化させたことにより、前記第１のオブジェクトの表示態様が前記初期状態となった場合に、前記制御部は、前記第１のオブジェクトの表示態様を前記初期状態に維持し、前記第１の表示領域に表示されるオブジェクトの表示態様が前記初期状態となった後、前記制御部は、前記蓄電量の増加に応じて、前記第２のオブジェクトの表示態様を前記初期状態に近づけるように変化させる。
【００１５】
第１の特徴において、前記表示部は、さらに、前記確保すべき時間長において前記負荷を使用するために必要な所要電力量と、前記蓄電量とを関連付けて示すインジケータを表示する。
【００１６】
第１の特徴において、前記制御部は、前記蓄電量を前記所要電力量に近づけるように、前記蓄電池の充放電予定を決定する。
【００１７】
第１の特徴において、前記オブジェクトは、前記負荷の種類を示すアイコンである。
【００１８】
第２の特徴に係るエネルギー管理システムは、蓄電池を有する蓄電池装置と、負荷と、前記蓄電池装置を管理するエネルギー管理装置とを備える。エネルギー管理装置は、前記負荷に対応するオブジェクトを表示する表示部と、前記蓄電池装置から供給される電力によって前記負荷が稼働可能な時間長を示すように、前記蓄電池の蓄電量に応じて、前記オブジェクトの表示態様を制御する制御部とを備える。
【００１９】
第３の特徴に係るエネルギー管理方法は、蓄電池を有する蓄電池装置を管理する。エネルギー管理方法は、負荷に対応するオブジェクトを表示するステップＡと、前記蓄電池装置から供給される電力によって前記負荷が稼働可能な時間長を示すように、前記蓄電池の蓄電量に応じて、前記オブジェクトの表示態様を制御するステップＢとを備える。
【発明の効果】
【００２０】
本発明によれば、蓄電池装置から負荷が電力供給を受ける場合において、電力供給が可能な時間長をユーザが容易に把握することのできるエネルギー管理装置、エネルギー管理システム、及びエネルギー管理方法を提供することができる。
【図面の簡単な説明】
【００２１】
【図１】図１は、本実施形態に係るエネルギー管理システムを示す図である。
【図２】図２は、本実施形態に係る需要家を示す図である。
【図３】図３は、本実施形態に係るＥＭＳを示すブロック図である。
【図４】図４は、本実施形態に係るＥＭＳの記憶部に記憶されるテーブルを示す図である。
【図５】図５は、本実施形態に係るＥＭＳによるオブジェクトの表示態様の制御を示す図である。
【図６】図６は、本実施形態に係るＥＭＳによるオブジェクトの表示態様の制御を示す図である。
【図７】図７は、本実施形態に係るエネルギー管理方法を示すフロー図である。
【図８】図８は、本実施形態に係るエネルギー管理方法を示すフロー図である。
【図９】図９は、本実施形態に係るＥＭＳによるオブジェクトの表示態様の変形例を示す図である。
【発明を実施するための形態】
【００２２】
以下において、本発明の実施形態に係るエネルギー管理システム、管理装置、及びエネルギー管理方法について、図面を参照しながら説明する。なお、以下の図面の記載において、同一又は類似の部分には、同一又は類似の符号を付している。
【００２３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２４】
［実施形態の概要］
実施形態に係るエネルギー管理装置は、蓄電池を有する蓄電池装置を管理する。エネルギー管理装置は、負荷に対応するオブジェクトを表示する表示部と、前記蓄電池装置から供給される電力によって前記負荷が稼働可能な時間長を示すように、前記蓄電池の蓄電量に応じて前記オブジェクトの表示態様を制御する制御部とを備える。
【００２５】
これによって、ユーザは、蓄電池装置から供給される電力によって負荷が稼働可能な時間長を直感的に把握することができる。
【００２６】
［本実施形態］
（エネルギー管理システム）
以下において、本実施形態に係るエネルギー管理システムについて説明する。図１は、本実施形態に係るエネルギー管理システム１００を示す図である。
【００２７】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２８】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２９】
需要家１０は、一戸建ての住宅であってもよく、マンションなどの集合住宅であってもよい。或いは、需要家１０は、コンビニエンスストア又はスーパーマーケットなどの店舗であってもよく、ビルなどの商用施設であってもよく、工場であってもよい。
【００３０】
本実施形態では、複数の需要家１０によって、需要家群１０Ａ及び需要家群１０Ｂが構成されている。需要家群１０Ａ及び需要家群１０Ｂは、例えば、地理的な地域によって分類される。
【００３１】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００３２】
本実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００３３】
変電所３０は、複数の需要家１０に対して、配電線３１を介して電力を供給する。具体的には、変電所３０は、発電所５０から供給を受ける電圧を降圧する。
【００３４】
本実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３５】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３６】
発電所５０は、火力、太陽光、風力、水力、原子力などによって発電を行う。発電所５０は、複数の変電所３０（ここでは、変電所３０Ａ及び変電所３０Ｂ）に対して、送電線５１を介して電力を供給する。
【００３７】
ネットワーク６０は、信号線を介して各装置に接続される。ネットワーク６０は、例えば、インターネット、広域回線網、狭域回線網、携帯電話網などである。
【００３８】
（需要家）
以下において、本実施形態に係る需要家１０について説明する。図２は、本実施形態に係る需要家１０の詳細を示す図である。
【００３９】
図２に示すように、需要家１０は、分電盤１１０と、負荷１２０と、ＰＶ装置１３０と、蓄電池装置１４０と、燃料電池装置１５０と、貯湯装置１６０と、ＥＭＳ２００と、表示装置２５０とを有する。
【００４０】
本実施形態において、各機器は、系統に近い順から見て、ＰＶ装置１３０、蓄電池装置１４０、燃料電池装置１５０及び負荷１２０の順で電力線に接続されている。但し、蓄電池装置１４０と燃料電池装置１５０との接続が逆の場合にも、本発明は実施可能である。
【００４１】
分電盤１１０は、配電線３１（系統）に接続されている。分電盤１１０は、電力線を介して、負荷１２０、ＰＶ装置１３０、蓄電池装置１４０及び燃料電池装置１５０に接続されている。
【００４２】
負荷１２０は、電力線を介して供給を受ける電力を消費する装置である。例えば、負荷１２０は、冷蔵庫、冷凍庫、照明、エアコンなどの装置を含む。
【００４３】
ＰＶ装置１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００４４】
蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４５】
燃料電池装置１５０は、燃料電池１５１と、ＰＣＳ１５２とを有する。燃料電池１５１は、発電装置の一例であり、燃料ガスを利用して電力を出力する装置である。燃料電池１５１は、例えば、ＳＯＦＣ（Ｓｏｌｉｄ  Ｏｘｉｄｅ  Ｆｕｅｌ  Ｃｅｌｌ）であってもよく、ＰＥＦＣ（Ｐｏｌｙｍｅｒ  Ｅｌｅｃｔｒｏｌｙｔｅ  Ｆｕｅｌ  Ｃｅｌｌ）であってもよい。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４６】
貯湯装置１６０は、電力を熱に変換し、変換された熱を湯として蓄積したり、燃料電池装置１５０等のコージェネレーション機器が発生する熱を湯として蓄えたりする蓄熱装置の一例である。具体的には、貯湯装置１６０は、貯湯槽を有しており、燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００４７】
ＥＭＳ２００は、エネルギー管理装置の一例であり、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０及び貯湯装置１６０に信号線を介して接続されている。ＥＭＳ２００は、ＰＶ装置１３０、蓄電池装置１４０、燃料電池装置１５０及び貯湯装置１６０を、Ｅｃｈｏｎｅｔ  ＬｉｔｅあるいはＺｉｇ  Ｂｅｅ（登録商標）などの通信プロトコルに準拠した信号を用いて制御する。
【００４８】
また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００４９】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力のモデルであってもよい。
【００５０】
表示装置２５０は、ＥＭＳ２００と接続されており、ＥＭＳ２００に格納された各種情報をアプリケーションによって可視化して表示する。ＥＭＳ２００と表示装置２５０との接続形式は、有線であってもよく、無線であってもよい。また、表示装置２５０は、タッチパネル等の操作部を有してもよい。このようなケースにおいては、ユーザは、ＥＭＳ２００に接続された装置を制御するための情報を、操作部を介して入力し、表示装置２５０は、ユーザが入力した制御情報を、ＥＭＳ２００に送信する。
【００５１】
（ＥＭＳの構成）
以下において、本実施形態に係るＥＭＳについて説明する。図３は、本実施形態に係るＥＭＳ２００を示すブロック図である。図４は、本実施形態に係るＥＭＳ２００の記憶部２２０に記憶されるテーブルを示す図である。
【００５２】
図３に示すように、ＥＭＳ２００は、通信部２１０と、記憶部２２０と、制御部２３０と、表示部２４０とを有する。
【００５３】
通信部２１０は、接続された装置との間で信号線を介して各種信号を送受信する。例えば、通信部２１０は、ＰＶ１３１の発電量を示す情報をＰＶ装置１３０から受信してもよい。通信部２１０は、蓄電池１４１の蓄電量Ｖを示す情報を蓄電池装置１４０から受信してもよい。通信部２１０は、燃料電池１５１の発電量を示す情報を燃料電池装置１５０から受信してもよい。通信部２１０は、貯湯装置１６０の貯湯量を示す情報を貯湯装置１６０から受信してもよい。通信部２１０は、例えば表示装置２５０に設けられたタッチパネルなどを介してユーザが入力した情報を、表示装置２５０から受信してもよい。
【００５４】
本実施形態において、通信部２１０は、エネルギー料金情報及び消費エネルギー予測情報等を、ネットワーク６０を介して各種サーバから受信してもよい。また、通信部２１０は、例えば、ＰＶ装置１３０、蓄電池装置１４０、燃料電池装置１５０及び貯湯装置１６０を制御するための信号を、各装置に送信する。
【００５５】
記憶部２２０は、通信部２１０が受信した情報を記憶する。また、記憶部２２０は、接続された装置を制御するために制御部２３０が設定した制御情報を記憶する。
【００５６】
図４に示すように、記憶部２２０は、負荷１２０についての情報を記憶するテーブルを有する。負荷１２０についての情報は、例えば、負荷１２０の各々についての識別情報、機器の種別、メーカー名、製造番号、単位時間あたり消費電力等を含む。これらの情報は、負荷１２０が信号線を介して新たにＥＭＳ２００と接続される際に、Ｅｃｈｏｎｅｔ  Ｌｉｔｅ等の通信プロトコルに準拠したフォーマットによって、負荷１２０からＥＭＳ２００に送信してもよく、又は、ＥＭＳ２００が負荷１２０に対して、必要な情報の送信を要求してもよい。
【００５７】
また、負荷１２０についての情報は、ＥＭＳ２００が負荷１２０の特性を測定したことにより得られる値を反映したものであってもよい。
【００５８】
制御部２３０は、負荷１２０、ＰＶ装置１３０、蓄電池装置１４０、燃料電池装置１５０、貯湯装置１６０、及び表示装置２５０を、Ｅｃｈｏｎｅｔ  Ｌｉｔｅ等の通信プロトコルに準拠した信号を用いて制御する。
【００５９】
本実施形態では、制御部２３０は、後述する表示部２４０に表示されたオブジェクトの表示態様を制御する。
【００６０】
表示部２４０は、上述した表示装置２５０と同様の機能を有する。表示部２４０は、ＥＭＳ２００に格納された各種情報を、アプリケーションによって可視化して表示する。表示装部２４０は、タッチパネル等の操作部を有してもよい。このようなケースにおいては、ユーザは、ＥＭＳ２００に接続された装置を制御するための情報を、操作部を介して入力してもよい。
【００６１】
また、表示部２４０は、負荷１２０に対応するオブジェクトを表示する。表示部２４０におけるオブジェクトの表示態様については、後述する。
【００６２】
（オブジェクトの表示態様）
以下、蓄電池１４１の蓄電量Ｖに応じた、制御部２３０によるオブジェクトの表示態様の制御を説明する。図５〜図６は、本実施形態に係るＥＭＳ２００によるオブジェクトの表示態様の制御示す図である。ここで、例えば、系統の停電又は電力不安定により、もしくはピークシフトを目的として、蓄電池装置１４０は、単独で負荷１２０に電力を供給することに留意すべきである。
【００６３】
図５は、表示部２４０における、オブジェクトの表示態様の初期状態を示す。本実施形態において、表示部２４０は、負荷１２０に対応するオブジェクトを表示する。以下、表示部２４０が表示するオブジェクトを設定登録するための、制御部２３０の動作の一例を説明する。
【００６４】
制御部２３０は、記憶部２２０を参照し、選択された負荷１２０の機器種別に基づいて、負荷１２０に対応するオブジェクトを選択する。例えば、選択された負荷１２０の機器種別が冷蔵庫である場合、制御部２３０は、冷蔵庫を示すアイコンを選択する。記憶部２４０は、選択された負荷１２０の単位時間当たり消費電力を含む各種情報と、選択したオブジェクトとを、関連付けて記憶する。
【００６５】
ここで、記憶部２２０は、選択された負荷１２０の単位時間当たり消費電力として、製造時に設定された数値を記憶してもよいが、好ましくは、実際の測定値を取得して記憶する。選択された負荷１２０が電流センサ等を備える場合には、制御部２３０は、通信部２１０を介して、選択された負荷１２０の消費電力を受信し、単位時間当たり消費電力を取得してもよい。選択された負荷１２０が電流センサ等を備えない場合には、制御部２３０は、例えば以下の手順で、選択された負荷１２０の単位時間当たり消費電力を測定する。まず、制御部２３０は、負荷１２０の消費電力量の合計値を、分電盤１１０等に設けられたセンサの測定値に基づいて取得する。次に、制御部２３０は、選択された負荷１２０の運転を所定の時間長にわたって停止させた後、選択された負荷１２０の運転を再開させる。制御部２３０は、負荷１２０の消費電力量の合計値と、選択された負荷１２０が停止していた間の消費電力量との差分に基づいて、選択された負荷１２０の単位時間当たり消費電力を取得する。記憶部２２０は、選択された負荷１２０の単位時間当たり消費電力を記憶する。以上説明したように、制御部２３０は、表示部２４０が表示するオブジェクトの設定登録を行う。
【００６６】
図５（ａ）において、表示部２４０は、冷蔵庫、照明、ヒータ、テレビ、エアコンの各々に対応するオブジェクトＯ１，Ｏ２，Ｏ３，Ｏ４，Ｏ５として、各負荷の種類を示すアイコンを表示する。
【００６７】
表示部２４０には、オブジェクト表示領域Ｚと、オブジェクト表示領域Ｚに沿って延びる時間軸ｔと、未配置オブジェクト表示領域Ｚ０とが設けられる。本実施形態において、オブジェクト表示領域Ｚは、複数の表示領域からなる。図５において、オブジェクト表示領域Ｚは、時間軸ｔと平行に延びる３つの領域（領域Ｚ１、領域Ｚ２、領域Ｚ３）からなり、領域Ｚ１、領域Ｚ２、領域Ｚ３の順に、時間軸ｔの近くに設けられる。
【００６８】
図５（ａ）に示すように、表示部２４０は、まず、オブジェクトＯ１〜Ｏ５を、未配置オブジェクト表示領域Ｚ０に表示する。次に、図５（ｂ）に示すように、表示部２４０は、未配置オブジェクト表示領域Ｚ０に表示されたオブジェクトＯ１〜Ｏ５の各々を、オブジェクト表示領域Ｚに移動させる。ここで、表示部２４０がタッチパネルの場合は、ユーザのスイープ操作によって、オブジェクトＯ１〜Ｏ５を移動させてもよい。
【００６９】
本実施形態において、表示部２４０は、複数の領域Ｚ１〜Ｚ３のうち、オブジェクトの優先度に対応する領域に、オブジェクトを表示する。オブジェクトの優先度は、例えば、オブジェクトに対応する負荷の生活上の必要度に応じて、ユーザが設定することができる。表示部２４０は、ユーザが入力したオブジェクトの優先度に応じて、オブジェクトの優先度を設定してもよい。表示部２４０がタッチパネルの場合は、表示部２４０は、ユーザのスイープ操作により、オブジェクトが領域Ｚ１〜Ｚ３のいずれの領域に表示されたかに応じて、オブジェクトの優先度を設定してもよい。
【００７０】
例えば、図５（ｂ）に示すように、表示部２４０は、領域Ｚ１、領域Ｚ２、領域Ｚ３の順に、優先度の高いオブジェクトを表示する。図５（ｂ）においては、表示部２４０は、優先度の最も高い冷蔵庫に対応するオブジェクトＯ１と、照明に対応するオブジェクトＯ２とを、領域Ｚ１に表示し、次に優先度の高いヒータに対応するオブジェクトＯ３と、テレビに対応するオブジェクトＯ４とを、領域Ｚ２に表示し、優先度の低いエアコンＯ５に対応するオブジェクトを、領域Ｚ３に表示する。
【００７１】
本実施形態において、表示部２４０は、負荷１２０に対して蓄電池装置１４０からの電力供給を確保すべき時間長Ｔ０を示すように、オブジェクトの表示態様の初期状態を設定する。具体的には、表示部２４０は、時間軸ｔに対するオブジェクトの座標（以下、単に「座標」とも称する）が、蓄電池装置１４０からの電力供給を確保すべき時間長Ｔ０を示すように、オブジェクトの表示態様の初期状態を設定する。表示部２４０は、ユーザが入力した時間長Ｔ０に応じてオブジェクトの表示態様の初期状態を設定してもよい。表示部２４０がタッチパネルの場合は、表示部２４０は、ユーザのスイープ操作によってオブジェクト表示領域Ｚ上に表示されたオブジェクトの座標に応じて、オブジェクトの表示態様の初期状態を設定してもよい。
【００７２】
例えば、図５（ｂ）に示すように、表示部２４０は、冷蔵庫に対応するオブジェクトＯ１の座標が３時間となるように、オブジェクトＯ１の表示態様の初期状態を設定し、照明に対応するオブジェクトＯ２の座標が４時間となるように、オブジェクトＯ２の表示態様の初期状態を設定する。つまり、図５（ｂ）において、表示部２４０は、時間長Ｔ０が、エアコンは３時間であり、照明は４時間であることを示す。
【００７３】
制御部２３０は、オブジェクトＯ１〜Ｏ５の初期状態に基づいて、オブジェクトＯ１〜Ｏ５の各々に対応する負荷の所要電力量を算出する。具体的には、制御部２３０は、記憶部２２０を参照して、各オブジェクトに対応する負荷の時間当たり消費電力を取得する。また、制御部２３０は、表示部２４０から取得した時間長Ｔ０と、単位時間当たり消費電力とを乗じて、各オブジェクトの所要電力量Ｒを算出する。次に、制御部２３０は、各オブジェクトの所要電力量Ｒを合計し、全てのオブジェクトの所要電力量Ｒ０を算出する。好ましくは、制御部２３０は、各オブジェクトの所要電力量Ｒを、領域Ｚ１〜Ｚ３の各々について合計し、領域別の所要電力量Ｒ１，Ｒ２，Ｒ３を算出する。
【００７４】
本実施形態において、表示部２４０は、蓄電池装置１４０からの電力供給を確保すべき時間長Ｔ０において、負荷１２０を使用するために必要な所要電力量Ｒ０と、蓄電池１４１の蓄電量Ｖとを関連付けて示すインジケータを表示する。
【００７５】
図５（ｂ）に示すように、表示部２４０は、例えば、所要電力量インジケータＩＲと蓄電量インジケータＩＶとをならべて表示し、蓄電量Ｖと所要電力量Ｒ０とを、バーの長さ（所要電力量インジケータＩＲ及び蓄電量インジケータＩＶの下端からの高さ）によって示す。蓄電量Ｖは、制御部２３０が、蓄電池装置１４０から取得した値であり、蓄電池１４１の充放電に応じて変化する。好ましくは、表示部２４０は、所要電力量Ｒ０を、領域Ｚ１〜Ｚ３の各々に対応する所要電力量Ｒ１，Ｒ２，Ｒ３に区分し、所要電力量インジケータＩＲの起点（図５（ｂ）においては、所要電力量インジケータＩＲの下端）から、所要電力量Ｒ１，Ｒ２，Ｒ３の順に表示する。
【００７６】
次に、図６を参照して、表示部２４０におけるオブジェクトの表示態様の変化について説明する。本実施形態において、制御部２３０は、蓄電池装置１４０から供給される電力によって負荷１２０が稼働可能な時間長Ｔを示すように、蓄電池１４１の蓄電量Ｖに応じてオブジェクトの表示態様を制御する。具体的には、表示部２４０が複数のオブジェクトＯ１〜Ｏ５を表示する場合に、制御部２３０は、高い優先度が設定されたオブジェクトの表示態様を、優先して初期状態に維持するように、蓄電池１４１の蓄電量Ｖに応じて、複数のオブジェクトＯ１〜Ｏ５の表示態様を変化させる。
【００７７】
蓄電量Ｖが減少し、所要電力量Ｒ０を下回ると、蓄電池インジケータＩＶに示されたバーの長さが、所要電力量インジケータＩＲに示されたバーの長さよりも短く（つまり、バーの下端からの高さが低く）なる。この場合、制御部２３０は、蓄電量の減少に応じて、優先度の高いオブジェクトの表示態様を維持しつつ、優先度の低いオブジェクトの表示態様を、稼働可能な時間長Ｔの減少を示すように変化させる。つまり、図６（ａ）に示すように、制御部２３０は、領域Ｚ３に表示されたエアコンに対応するオブジェクトＯ５をスライドさせ、座標をゼロに近づける。このとき、制御部２３０は、領域Ｚ１及び領域Ｚ２に表示されたオブジェクトＯ１〜Ｏ４の表示態様を、初期状態（つまり、時間長Ｔが、時間長Ｔ０と一致した状態）に維持することに留意すべきである。つまり、制御部２３０は、蓄電量Ｖの減少量が全て、エアコンによって消費されたと仮定して、エアコンの稼働時間な時間長Ｔの残量を算出し、オブジェクトＯ５の座標を変化させる。
【００７８】
図６（ｂ）に示すように、制御部２３０は、エアコンに対応するオブジェクトＯ５の表示態様が、稼働可能な時間長Ｔがゼロとなったことを示した場合に、領域Ｚ３からオブジェクトＯ５を除外する。このとき、蓄電池インジケータＩＶに示されたバーの長さは、所要電力量インジケータＩＲに示されたバーにおける所要電力量Ｒ３に対応する部分までの長さよりも短くなる（つまり、バーの下端から所要電力量Ｒ３に対応する部分までの高さよりも低くなる）ことに留意すべきである。
【００７９】
表示部２４０は、例えば、エアコンに対応するオブジェクトＯ５がオブジェクト表示領域Ｚから除外された後、オブジェクトＯ５を未配置オブジェクト表示領域Ｚ０に移動させる。このとき、制御部２３０は、Ｅｃｈｏｎｅｔ  Ｌｉｔｅ等の通信プロトコルに準拠した信号を用いて、エアコンを停止させてもよい。または、制御部２３０は、ユーザにエアコンの運転を停止させるために、例えば、エアコンに対応するオブジェクトを点滅させてもよく、又は、アラートを発してもよい。
【００８０】
制御部２３０は、領域Ｚ３からオブジェクトを除外した後、蓄電池１４１の蓄電量Ｖが減少したときに、領域Ｚ２に表示されたオブジェクト（図６においては、ヒータ及びテレビに対応するオブジェクトＯ３，Ｏ４）の表示態様を、稼働可能な時間長Ｔの減少を示すように変化させる。このとき、蓄電池インジケータＩＶに示されたバーの長さは、所要電力量インジケータＩＲに示されたバーにおける所要電力量Ｒ２に対応する部分までの長さと同じである（つまり、バーの下端から所要電力量Ｒ２に対応する部分までの高さと同じである）ことに留意すべきである。このとき、制御部２３０は、領域Ｚ１に表示されたオブジェクトＯ１，Ｏ２の表示態様を、初期状態に維持することに留意すべきである。つまり、制御部２３０は、蓄電量Ｖの減少量が全て、ヒータ及びテレビによって消費されたと仮定して、ヒータ及びテレビの稼働時間な時間長Ｔの残量を算出し、オブジェクトＯ３，Ｏ４の座標を変化させる。
【００８１】
制御部２３０は、オブジェクトＯ３の表示態様が、稼働可能な時間長Ｔがゼロとなったことを示した場合に、領域Ｚ２からオブジェクトＯ３を除外する。同様に、制御部２３０は、オブジェクトＯ４の表示態様が、稼働可能な時間長Ｔがゼロとなったことを示した場合に、領域Ｚ２からオブジェクトＯ４を除外する。領域Ｚ２から全てのオブジェクトが除外された場合、蓄電池インジケータＩＶに示されたバーの長さは、所要電力量インジケータＩＲに示されたバーにおける所要電力量Ｒ２に対応する部分よりも短い（つまり、バーの下端から所要電力量Ｒ２に対応する部分までの高さよりも低い）ことに留意すべきである。
【００８２】
制御部２３０は、領域Ｚ２からオブジェクトを除外した後、蓄電量Ｖが減少したときに、領域Ｚ１に表示されたオブジェクト（図６においては、冷蔵庫及び照明に対応するオブジェクトＯ１，Ｏ２）の表示態様を、稼働可能な時間長Ｔの減少を示すように変化させる。このとき、蓄電池インジケータＩＶに示されたバーの長さは、所要電力量インジケータＩＲに示されたバーにおける所要電力量Ｒ１のバーに対応する部分までの長さと同じである（つまり、バーの下端から所要電力量Ｒ１に対応する部分までの高さと同じである）ことに留意すべきである。ここで、制御部２３０は、蓄電量Ｖから、冷蔵庫及び照明の稼働時間な時間長Ｔの残量を算出し、オブジェクトＯ１，Ｏ２の座標を変化させる。
【００８３】
制御部２３０は、オブジェクトＯ１の表示態様が、稼働可能な時間長Ｔがゼロとなったことを示した場合に、領域Ｚ１からオブジェクトＯ１を除外する。同様に、制御部２３０は、オブジェクトＯ２の表示態様が、稼働可能な時間長Ｔがゼロとなったことを示した場合に、領域Ｚ１からオブジェクトＯ２を除外する。領域Ｚ１から全てのオブジェクトが除外された場合、蓄電池インジケータＩＶに示されたバーの長さがゼロとなることに留意すべきである。つまり、オブジェクト表示領域Ｚに表示された全てのオブジェクトが除外されたとき、蓄電量Ｖはゼロとなる。
【００８４】
次に、蓄電量Ｖが増加する場合のオブジェクトの表示態様の変化について説明する。本実施形態において、制御部２３０は、蓄電池１４１の蓄電量Ｖの増加に応じて、優先度の低いオブジェクトの表示態様を維持しつつ、優先度の高いオブジェクトの表示態様を初期状態に近づけるように変化させる。
【００８５】
例えば、蓄電池インジケータＩＶに示されたバーの長さがゼロとなった後、蓄電量Ｖが増加し、所要電力量インジケータＩＲに示されたバーにおける所要電力量Ｒ１に対応する部分と同じである場合、表示部２４０は、未配置オブジェクト表示領域Ｚ０に表示されていたオブジェクトのうち、領域Ｚ１に表示されていたオブジェクト（図６においては、冷蔵庫及び照明に対応するオブジェクトＯ１，Ｏ２）を、領域Ｚ１に移動させる。制御部２３０は、蓄電量Ｖから、冷蔵庫及び照明の稼働時間な時間長Ｔの残量を算出し、オブジェクトＯ１，Ｏ２の座標を変化させる。制御部２３０は、オブジェクトＯ１の表示態様が初期状態となると、そこで維持する。制御部２３０は、オブジェクトＯ２の表示態様が初期状態となると、そこで維持する。領域１に表示された全てのオブジェクトの表示態様が初期状態となったとき、蓄電池インジケータＩＶに示されたバーの長さは、所要電力量インジケータＩＲに示されたバーにおける所要電力量Ｒ１に対応する部分までの最長の長さ（つまり、バーの下端から、所要電力量Ｒ１に対応する部分の上端までの高さ）と一致することに留意すべきである。
【００８６】
制御部２３０は、領域Ｚ１に表示されたオブジェクトＯ１，Ｏ２の表示態様が初期状態となった後、蓄電池１４１の蓄電量Ｖの増加に応じて、領域Ｚ２に表示されていたオブジェクト（図６においては、ヒータ及びテレビに対応するオブジェクトＯ３，Ｏ４）を、再び領域Ｚ２に表示する。制御部２３０は、オブジェクトＯ３，Ｏ４の表示態様を、初期状態に近づけるように変化させる。具体的には、制御部２３０は、蓄電量Ｖの増加量から、ヒータ及びテレビの稼働時間な時間長Ｔを算出し、オブジェクトＯ３，Ｏ４の座標を変化させる。制御部２３０は、オブジェクトＯ３の表示態様が初期状態となると、そこで維持する。制御部２３０は、オブジェクトＯ４の表示態様が初期状態となると、そこで維持する。オブジェクトＯ３，Ｏ４が初期状態となったとき、蓄電池インジケータＩＶに示されたバーの長さは、所要電力量インジケータＩＲに示されたバーにおける所要電力量Ｒ２に対応する部分までの最長の長さ（つまり、バーの下端から、所要電力量Ｒ２に対応する部分の上端までの高さ）と一致することに留意すべきである。
【００８７】
制御部２３０は、領域Ｚ２に表示されたオブジェクトＯ３，Ｏ４の表示態様が初期状態となった後、蓄電量Ｖの増加に応じて、領域Ｚ３に表示されていたオブジェクト（図６においては、エアコンに対応するオブジェクトＯ５）を、領域Ｚ３に移動させる。制御部２３０は、オブジェクトＯ５の表示態様を初期状態に近づけるように変化させる。具体的には、制御部２３０は、蓄電量Ｖの増加量から、エアコンの稼働時間な時間長Ｔを算出し、オブジェクトＯ５の座標を変化させる。制御部２３０は、オブジェクトＯ５の表示態様が初期状態となると、そこで維持する。オブジェクトＯ５が初期状態となったとき、蓄電池インジケータＩＶに示されたバーの長さは、所要電力量インジケータＩＲに示されたバーの長さと一致することに留意すべきである。
【００８８】
本実施形態において、制御部２３０は、蓄電１４１の蓄電量を所要電力量Ｒ０に近づけるように、蓄電池１４１の蓄電池の充放電予定を決定する。具体的には、蓄電池１４１の放電時（蓄電池装置１４０から負荷１２０に電力を供給している場合）において、蓄電量Ｖが所要電力量Ｒ０を下回った場合、制御部２３０は、蓄電池１４１の放電を停止するよう、Ｅｃｈｏｎｅｔ  Ｌｉｔe等の通信プロトコルに準拠した信号を用いて、蓄電池装置１４０を制御することができる。または、蓄電量が所要電力量Ｒ０を下回っても蓄電池１４１の放電を継続する場合、制御部２３０は、蓄電池１４１の充電時において、蓄電量Ｖが所要電力量Ｒ０に達することを優先するように、Ｅｃｈｏｎｅｔ  Ｌｉｔｅ等の通信プロトコルに準拠した信号を用いて、蓄電池装置１４０を制御してもよい。例えば、蓄電池１４１の充電は、通常、買電単価の低い時間帯に行われるが、制御部２３０は、蓄電量Ｖが所要電力量Ｒ０に達するまでは、蓄電池１４１の充電を時間帯と関係なく行うように、蓄電池装置１４０を制御してもよい。または、蓄電池装置１４０が、蓄電池１４１の充電モードを複数有する場合、制御部２３０は、蓄電量Ｖが所要電力量Ｒ０に達するまでは、充電速度を優先したモードで蓄電池１４１の充電を行うように、蓄電池装置１４０を制御してもよい。
【００８９】
（エネルギー管理方法）
以下において、本実施形態に係るエネルギー管理方法について説明する。図７〜図８は、本実施形態に係るエネルギー管理方法を示すフロー図である。
【００９０】
図７は、ＥＭＳ２００によるオブジェクトの表示態様の初期状態設定フローを示す。ステップＳ１００において、ＥＭＳ２００は、蓄電池装置１４０から、蓄電池１４１の蓄電量Ｖを取得する。ここで、ＥＭＳ２００は、後述するステップＳ１１０〜Ｓ１３０の後にステップＳ１００を行ってもよい。
【００９１】
ステップＳ１１０において、ＥＭＳ２００は、未配置オブジェクト表示領域Ｚ０に表示されていたオブジェクトＯ１〜Ｏ５を、領域Ｚ１〜Ｚ３の中で、優先度に対応する領域に表示する。このとき、ＥＭＳ２００は、オブジェクトの表示態様が、蓄電池装置１４０からの電力供給を確保すべき時間長Ｔ０を示すように、初期状態を設定する。
【００９２】
ステップＳ１２０において、ＥＭＳ２００は、オブジェクトの表示態様の初期状態に基づいて、オブジェクト別の所要電力量Ｒを算出する。具体的には、オブジェクトに対応する負荷に対して蓄電池装置１４０からの電力供給を確保すべき時間長Ｔ０と、負荷の単位時間当たり消費電力とに基づいて、オブジェクト別の所要電力量Ｒを算出する。ＥＭＳ２００は、領域Ｚ１〜Ｚ３の各々について、オブジェクト別の所要電力量を合計し、領域別の所要電力量Ｒ１，Ｒ２，Ｒ３を算出する。
【００９３】
ステップＳ１３０において、ＥＭＳ２００は、領域別の所要電力量Ｒ１，Ｒ２，Ｒ３を合計し、全てのオブジェクトについての所要電力量Ｒ０を算出する。
【００９４】
ステップＳ１４０において、ＥＭＳ２００は、蓄電量インジケータＩＶに蓄電量Ｖを表示し、所要電力量インジケータＩＲに所要電力量Ｒ０を表示する。
【００９５】
図８は、ＥＭＳ２００によるオブジェクトの表示態様制御フローを示す。まず、蓄電量Ｖの減少時における、ＥＭＳ２００によるオブジェクトの表示態様制御フローを説明する。
【００９６】
ステップＳ２００において、ＥＭＳ２００は、蓄電量Ｖが所要電力量Ｒ０を上回っているか否かを判定する。判定結果が“ＹＥＳ”の場合、ＥＭＳ２００は、処理を終了する。判定結果が“ＮＯ”の場合、ＥＭＳ２００は、ステップＳ２１０の処理に進む。
【００９７】
ステップＳ２１０において、ＥＭＳ２００は、蓄電量Ｖが所要電力量Ｒ１，Ｒ２の合計値以上であるか否かを判定する。判定結果が“ＹＥＳ”の場合、ＥＭＳ２００は、ステップＳ２２０の処理に進む。判定結果が“ＮＯ”の場合、ＥＭＳ２００は、ステップＳ２３０の処理に進む。
【００９８】
ステップＳ２２０において、ＥＭＳ２００は、領域Ｚ３に表示されたオブジェクトＯ５の表示態様を変化させる。具体的には、ＥＭＳ２００は、オブジェクトＯ５の表示態様を、稼働可能な時間長Ｔの減少を示すように変化させる。このとき、ＥＭＳ２００は、領域Ｚ１、領域Ｚ２に表示されたオブジェクトＯ１〜Ｏ４の表示態様を初期状態に維持していることに留意すべきである。オブジェクトＯ５の表示態様が、稼働可能な時間長Ｔがゼロとなったことを示した場合、ＥＭＳ２００は、領域Ｚ３からオブジェクトＯ５を除外する。
【００９９】
ＥＭＳ２００は、ステップＳ２１０において、蓄電量Ｖが所要電力量Ｒ１，Ｒ２の合計値を下回ると判定した場合、ステップＳ２３０において、蓄電量Ｖが所要電力量Ｒ１以上であるか否かを判定する。判定結果が“ＹＥＳ”の場合、ＥＭＳ２００は、ステップＳ２４０の処理に進む。判定結果が“ＮＯ”の場合、ＥＭＳ２００は、ステップＳ２５０の処理に進む。
【０１００】
ステップＳ２４０において、ＥＭＳ２００は、領域Ｚ２に表示されたオブジェクトＯ３，Ｏ４の表示態様を変化させる。具体的には、ＥＭＳ２００は、オブジェクトＯ３，Ｏ４の表示態様を、稼働可能な時間長Ｔの減少を示すように変化させる。このとき、ＥＭＳ２００は、領域Ｚ１に表示されたオブジェクトＯ１，Ｏ２の表示態様を初期状態に維持していることに留意すべきである。オブジェクトＯ３，Ｏ４の表示態様が、稼働可能な時間長Ｔがゼロとなったことを示した場合、ＥＭＳ２００は、領域Ｚ２からオブジェクトＯ３，Ｏ４を除外する。
【０１０１】
ＥＭＳ２００は、ステップＳ２３０において、蓄電量Ｖが所要電力量Ｒ１を下回ると判定した場合、ステップＳ２５０において、ＥＭＳ２００は、領域Ｚ１に表示されたオブジェクトＯ１，Ｏ２の表示態様を変化させる。具体的には、ＥＭＳ２００は、オブジェクトＯ１，Ｏ２の表示態様を、稼働可能な時間長Ｔの減少を示すように変化させる。オブジェクトＯ１，Ｏ２の表示態様が、稼働可能な時間長Ｔがゼロとなったことを示した場合、ＥＭＳ２００は、領域Ｚ１からオブジェクトＯ１，Ｏ２を除外する。
【０１０２】
次に、蓄電量Ｖの増加時における、ＥＭＳ２００によるオブジェクトの表示態様制御フローを説明する。
【０１０３】
ステップＳ２１０において、ＥＭＳ２００は、蓄電量Ｖが所要電力量Ｒ１，Ｒ２の合計値以上であるか否かを判定する。判定結果が“ＹＥＳ”の場合、ＥＭＳ２００は、ステップＳ２２０の処理に進む。判定結果が“ＮＯ”の場合、ＥＭＳ２００は、ステップＳ２３０の処理に進む。
【０１０４】
ステップＳ２２０において、ＥＭＳ２００は、領域Ｚ３に表示されたオブジェクトＯ５の表示態様を変化させる。具体的には、ＥＭＳ２００は、オブジェクトＯ５の表示態様を、初期状態に近づけるように変化させる。つまり、ＥＭＳ２００は、オブジェクトＯ５の表示態様を、稼働可能な時間長Ｔが増加し、確保すべき時間長Ｔ０に近づくことを示すように変化させる。このとき、ＥＭＳ２００は、領域Ｚ１、領域Ｚ２に表示されたオブジェクトＯ１〜Ｏ４の表示態様を、初期状態に維持していることに留意すべきである。オブジェクトＯ５の表示態様が初期状態となり、稼働可能な時間長Ｔが確保すべき時間長Ｔ０に達したことを示した場合、ＥＭＳ２００は、オブジェクトＯ５の表示態様を初期状態に維持する。
【０１０５】
ＥＭＳ２００は、ステップＳ２１０において、蓄電量Ｖが所要電力量Ｒ１，Ｒ２の合計値を下回ると判定した場合、ステップＳ２３０において、蓄電量Ｖが所要電力量Ｒ１以上であるか否かを判定する。判定結果が“ＹＥＳ”の場合、ＥＭＳ２００は、ステップＳ２４０の処理に進む。判定結果が“ＮＯ”の場合、ＥＭＳ２００は、ステップＳ２５０の処理に進む。
【０１０６】
ステップＳ２４０において、ＥＭＳ２００は、領域Ｚ２に表示されたオブジェクトＯ３，Ｏ４の表示態様を変化させる。具体的には、ＥＭＳ２００は、オブジェクトＯ３，Ｏ４の表示態様を、初期状態に近づけるように変化させる。つまり、ＥＭＳ２００は、オブジェクトＯ３，Ｏ４の座標を、稼働可能な時間長Ｔが増加し、確保すべき時間長Ｔ０に近づくことを示すように変化させる。このとき、ＥＭＳ２００は、領域Ｚ１に表示されたオブジェクトＯ１，Ｏ２の表示態様を初期状態に維持し、かつ、領域Ｚ３に表示されていたオブジェクトＯ５を領域Ｚ３から除外している（つまり、未配置オブジェクト表示領域Ｚ０に移動させている）ことに留意すべきである。オブジェクトＯ３，Ｏ４の表示態様が初期状態となり、稼働可能な時間長Ｔが確保すべき時間長Ｔ０に達したことを示した場合、ＥＭＳ２００は、オブジェクトＯ３，Ｏ４の表示態様を初期状態に維持する。
【０１０７】
ＥＭＳ２００は、ステップＳ２３０において、蓄電量Ｖが所要電力量Ｒ１を下回ると判定した場合、ステップＳ２５０において、ＥＭＳ２００は、領域Ｚ１に表示されたオブジェクトＯ１，Ｏ２の表示態様を変化させる。具体的には、ＥＭＳ２００は、オブジェクトＯ１，Ｏ２の表示態様を、初期状態に近づけるように変化させる。つまり、ＥＭＳ２００は、オブジェクトの表示態様を、稼働可能な時間長Ｔが増加し、確保すべき時間長Ｔ０に近づくことを示すように変化させる。このとき、ＥＭＳ２００は、領域Ｚ２、領域Ｚ３に表示されていたオブジェクトＯ３〜Ｏ５を領域Ｚ２、領域Ｚ３から除外している（つまり、未配置オブジェクト表示領域Ｚ０に移動させている）ことに留意すべきである。オブジェクトＯ１，Ｏ２の表示態様が初期状態となり、稼働可能な時間長Ｔが確保すべき時間長Ｔ０に達したことを示した場合、ＥＭＳ２００は、オブジェクトＯ１，Ｏ２の表示態様を初期状態に維持する。
【０１０８】
以上説明したように、本実施形態では、ＥＭＳ２００が、蓄電池装置１４０から供給される電力によって負荷１２０が稼働可能な時間長Ｔを示すように、蓄電池１４１の蓄電量Ｖに応じて、オブジェクトＯ１〜Ｏ５の表示態様を制御する。これによって、ユーザは、蓄電池装置１４０から供給される電力によって、負荷１２０が稼働可能な時間長Ｔを、直感的に把握することができる。
【０１０９】
［変形例］
以下において、本実施形態の変形例１に係るエネルギー管理装置について、本実施形態に係るエネルギー管理装置との相違点を中心に説明する。図９は、本実施形態に係るＥＭＳ２００によるオブジェクトの表示態様の変形例を示す図である。
【０１１０】
変形例において、表示部２４０は、負荷１２０に対応するオブジェクトとして、バーを表示する。表示部２４０は、バーの長さの初期状態が確保すべき時間長Ｔ０を示すように、オブジェクトの表示態様の初期状態を設定する。制御部２３０は、蓄電量Ｖに応じて、バーの長さを変化させることにより、稼働可能な時間長Ｔの変化を示す。例えば、図９において、表示部２４０は、バーの一端を固定して表示し、制御部２３０がバーの他端の位置を変化させることによって、バーの長さを変化させる。ただし、変形例においては、バーの長さが稼働可能な時間長Ｔを示していればよく、表示部２４０は、バーの両端を固定しない状態で表示してもよい。
【０１１１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１２】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【０１１３】
実施形態では、需要家１０は、負荷１２０、ＰＶ装置１３０、蓄電池装置１４０、燃料電池装置１５０及び貯湯装置１６０を有する。しかしながら、需要家１０は、少なくとも、負荷１２０及び蓄電池装置１４０を有していればよい。
【０１１４】
実施形態では、蓄電池装置１４０の蓄電池１４１は、系統から供給された電力を蓄積するものとして説明したが、例えばＰＶ装置１３０又は燃料電池装置１５０が出力した電力を蓄積してもよい。
【０１１５】
実施形態では、表示部２４０は、５つの負荷１２０に対応する５つのオブジェクトＯ１〜Ｏ５を表示する。しかしながら、負荷１２０及びオブジェクトの数は、５つに限定されるものではない。また、表示部２４０は、１つの負荷１２０に対応する１つのオブジェクトのみを表示してもよい。
【０１１６】
実施形態では、表示部２４０には、オブジェクトの優先度に対応して、領域１〜３が設けられる。しかしながら、優先度の数は３つに限定されるものではなく、従って、領域の数も３つに限定されない。
【０１１７】
実施形態では、表示部２４０には、オブジェクト表示領域Ｚと並べて時間軸ｔが設けられる。しかしながら、オブジェクトの表示態様の初期状態が時間長Ｔ０を示し、オブジェクトの表示態様の変化が、時間長Ｔの変化を示していればよく、表示部２４０には、時間軸ｔが設けられていなくてもよい。
【０１１８】
実施形態では、表示部２４０は、所要電力量インジケータＩＲと蓄電量インジケータＩＶとを、並べて表示する。しかしながら、表示部２４０は、所要電力量インジケータＩＲと蓄電量インジケータＩＶとを、１つのインジケータにまとめて表示してもよく、又は、円グラフ等として表示してもよい。
【０１１９】
実施形態では、表示部２４０が、負荷１２０に対応するオブジェクトを表示する。しかしながら、表示部２４０に代わり、表示装置２５０が、負荷１２０に対応するオブジェクトを表示してもよい。
【符号の説明】
【０１２０】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶ装置、１３１…ＰＶ、１３２…ＰＣＳ、１４０…蓄電池装置、１４１…蓄電池、１４２…ＰＣＳ、１５０…燃料電池装置、１５１…燃料電池、１５２…ＰＣＳ、１６０…貯湯装置、２００…ＥＭＳ、２１０…通信部、２２０…記憶部、２３０…制御部、２４０…表示部、２５０…表示装置
【図１】
2014119288.tif 000003
【図２】
2014119288.tif 000004
【図３】
2014119288.tif 000005
【図４】
2014119288.tif 000006
【図５】
2014119288.tif 000007
【図６】
2014119288.tif 000008
【図７】
2014119288.tif 000009
【図８】
2014119288.tif 000010
【図９】
2014119288.tif 000011